(57)【要約】【課題】デジタルテレビ電源オン時に選局マイコンが放送されている番組内容に応じて選局を行い、ユーザーに効率的な選局を提供することを目的とする。【解決手段】電源立ち上げ時にあらかじめ設定された番組および番組ジャンルをメモリに蓄積された番組情報データから検索し、候補チャンネルの中から優先度の最も高い番組を選局し、表示する。他の候補チャンネルについては選局のＵＰ／ＤＯＷＮキーで容易に選局できるように選局設定情報の書き換えを行う。【選択図】　図１
2004023219.tif 000002
【特許請求の範囲】
【請求項１】
デジタルテレビジョンであって、ユーザーがお気に入りの番組や番組ジャンルを設定する手段と、放送日時データ、放送局データ、番組データを含むテレビ番組表を記憶する手段と、テレビ電源オン時に前記テレビ番組表を使用し、放送されている全てのチャンネルの番組中から設定されたお気に入り番組やジャンルの番組を検索する手段と、この時優先度の最も高い番組を選局して画面に表示し、他の候補チャンネルについては次にユーザーが容易に選局できるように選局設定の書き換えを行う手段とを有することを特徴とするデジタル放送選局装置。
【請求項２】
デジタルテレビジョンであって、ユーザーが選択する番組や番組ジャンル情報や番組選択期間情報を記憶する手段と、前記番組や前記番組ジャンル情報や前記番組選択期間情報からユーザーの番組選局傾向を時間帯別、曜日別に分析し、放送日時データ、放送局データ、番組データを含むテレビ番組表を記憶する手段と、テレビジョン電源オン時に前記テレビ番組表を使用し、放送されている全てのチャンネルの番組中からユーザーの選局傾向分析結果に基づき、候補となる番組を検索する手段と、この時優先度の最も高い番組を選局し画面に表示し、他の候補チャンネルについては次にユーザーが容易に選局できるように選局設定の書き換えを行う手段とを有することを特徴とするデジタル放送選局装置。
【発明の詳細な説明】
【０００１】
【発明の属する技術分野】
本発明は、デジタルテレビジョン放送の選局装置に関するものである。
【０００２】
【従来の技術】
現在の選局装置は電源をオンにすると電源オフ時にラストチャンネルとしてメモリに記録されたチャンネルを読み出し、番組内容とは無関係に選局を行っている。
【０００３】
【発明が解決しようとする課題】
選局装置が番組内容と無関係に選局動作をしている場合、視聴者は番組内容を確認しながら自ら選局を行わなくてはならない。これからの多チャンネル化時代ではこの選局作業が面倒になる。
【０００４】
【課題を解決するための手段】
上記課題を解決するために本発明のデジタルテレビジョン放送の選局装置は、電源オン時にメモリに蓄積された番組表のデータを使用し、そのとき放送されている番組、全てのチャンネルの中からあらかじめ設定されたユーザー好みの番組を検索し、複数の候補チャンネルの中から優先度の最も高い番組を選局する。他の候補チャンネルについては選局ボタンののＵＰ／ＤＯＷＮキーで容易に選局できるように選局設定の書き換えを行う。これにより視聴者はテレビ電源オン時に視聴者の好みに合わせた番組が選局され、他の候補番組についても即座に検索することができる。
【０００５】
【発明の実施の形態】
本発明の請求項１に記載の発明は、デジタルテレビジョンであって、ユーザーがお気に入りの番組や番組ジャンルを設定する手段と、放送日時データ、放送局データ、番組データを含むテレビ番組表を記憶する手段と、テレビ電源オン時に前記テレビ番組表を使用し、放送されている全てのチャンネルの番組中から設定されたお気に入り番組やジャンルの番組を検索する手段と、この時優先度の最も高い番組を選局して画面に表示し、他の候補チャンネルについては次にユーザーが容易に選局できるように選局設定の書き換えを行う手段とを有することを特徴とするデジタル放送選局装置であり、ユーザーは目的の番組を効率的に選局できるという作用を有する。
【０００６】
請求項２に記載の発明は、デジタルテレビジョンであって、ユーザーが選択する番組や番組ジャンル情報や番組選択期間情報を記憶する手段と、前記番組や前記番組ジャンル情報や前記番組選択期間情報からユーザーの番組選局傾向を時間帯別、曜日別に分析し、放送日時データ、放送局データ、番組データを含むテレビ番組表を記憶する手段と、テレビジョン電源オン時に前記テレビ番組表を使用し、放送されている全てのチャンネルの番組中からユーザーの選局傾向分析結果に基づき、候補となる番組を検索する手段と、この時優先度の最も高い番組を選局し画面に表示し、他の候補チャンネルについては次にユーザーが容易に選局できるように選局設定の書き換えを行う手段とを有することを特徴とするデジタル放送選局装置であり、ユーザーは目的の番組を効率的に選局できるという作用を有する。
【０００７】
（実施の形態１）
図１は本発明の回路構成で、図２は選局情報メモリの内部構成図である。アンテナ１に到達したデジタルテレビ放送電波の中から５の選局マイコンによりチャンネル選局を行う。テレビ回路３はチューナー２から受けたテレビ信号をデコードした後、信号処理を行い、映像信号をＣＲＴ表示部４に出力する。
【０００８】
また、選局マイコン５には時計回路８と入力装置９が接続されると共に、番組表メモリ６と選局情報メモリ７に接続される。選局情報メモリ７には、選局設定情報が格納されているが入力装置９を通じてユーザーが番組をジャンル別及び番組別に優先順位をつけて登録することができる。
【０００９】
また、通常ユーザーが選局する番組の情報、つまり番組名や番組ジャンル、番組選択時間情報をすべて監視し、内容を分析した上でユーザーが選択する番組やチャンネルの傾向を時間帯や曜日ごとに自動記憶する機能を持つ。
【００１０】
この構成によれば、電源オン時に選局マイコン５は時計回路８から現在日時を読み出し、番組表メモリ６の情報に該当日時データが存在するか否かを判別する。データが存在しない場合は選局情報メモリ７に記録されたラストチャンネルを選局する。データが存在する場合は選局情報メモリ７に登録されたユーザお気に入リ番組や番組ジャンルと一致する番組を放送しているチャンネルを選局する。
【００１１】
一致する番組がない場合はラストチャンネルを選局する。候補が複数ある場合は優先順位の最も高いチャンネルを表示し、他のチャンネルについては次にユーザーが容易に選局できるように選局情報メモリ７にある選局設定の書き換えを行う。
【００１２】
（実施の形態２）
図１は本発明の回路構成である。内容は（実施の形態１）と同一であるので説明を省略する。
【００１３】
この構成によれば、電源オン時に選局マイコン５は時計回路８から現在日時を読み出し、番組表メモリ６の情報に該当日時データが存在するか否かを判別する。データが存在しない場合は選局情報メモリ７に記録されたラストチャンネルを選局する。データが存在する場合は選局情報メモリ７に自動登録されたユーザーの番組やチャンネル情報と一致する番組を放送しているチャンネルを選局する。一致する番組がない場合はラストチャンネルを選局する。候補が複数ある場合は優先順位の最も高いチャンネルを表示し、他のチャンネルについては次にユーザーが容易に選局できるように選局情報メモリ７にある選局設定の書き換えを行う。
【００１４】
【発明の効果】
以上のように、本発明の選局機能を持つテレビジョンにおいては電源オン時にユーザーの好みに応じた番組が選局されるだけでなく、他の候補チャンネルについても選局設定の書き換え行われ、ユーザーは目的の番組を効率的に選局することが可能になる効果が得られる。
【図面の簡単な説明】
【図１】本発明の回路構成のブロック図
【図２】選局情報メモリの内部構成図
【符号の説明】
１　アンテナ
２　チューナー
３　ＴＶ回路
４　ＣＲＴ
５　選局マイコン
６　番組表メモリ
７　選局情報メモリ
８　時計回路
９　入力装置
【図１】
2004023219.tif 000003
【図２】
2004023219.tif 000004